(57)【要約】【課題】防寒性を向上させるとともに、使用者が快適に使用することができるストッキングの提供。【解決手段】ストッキング１は、ストッキング生地２と、このストッキング生地２の内側に重ね合わされたタイツ生地３と、ストッキング生地２およびタイツ生地３を接合する３箇所の接合部４，５，６とを備える。ストッキング生地２は、人体の脚部に装着されるレッグ部２２と、人体の足部に装着されるとともに、足部の爪先部および足部の踵部に相当する部分を切り欠いた形状のフット部２３とを備える。タイツ生地３は、人体の脚部に装着されるレッグ部３２と、人体の足部に装着されるフット部３３とを備える。このタイツ生地３は、ストッキング生地２と同一の形状を有している。【選択図】図１
0003173336.tif 000002
【実用新案登録請求の範囲】
【請求項１】
人体の脚部に装着されるレッグ部を有するストッキングであって、
前記レッグ部と、前記人体の足部に装着されるとともに、前記足部の爪先部および前記足部の踵部に相当する部分を切り欠いた形状のフット部とを有するストッキング生地と、
前記ストッキング生地と同一の形状を有し、前記ストッキング生地の内側に重ね合わされたインナー生地と、
前記ストッキング生地および前記インナー生地を接合する接合部とを備えることを特徴とするストッキング。
【請求項２】
請求項１に記載されたストッキングにおいて、
前記接合部は、前記フット部の爪先側の端部と、前記フット部の踵側の端部と、前記フット部とは反対側の端部とに設けられることを特徴とするストッキング。
【請求項３】
請求項２に記載されたストッキングにおいて、
前記インナー生地は、前記ストッキング生地よりも小さいことを特徴とするストッキング。
【請求項４】
請求項１から請求項３のいずれかに記載されたストッキングにおいて、
前記インナー生地は、前記ストッキング生地よりも厚手のタイツ生地であることを特徴とするストッキング。
【請求項５】
請求項１から請求項４のいずれかに記載されたストッキングにおいて、
前記インナー生地は、不規則な模様が表面に形成された生地であることを特徴とするストッキング。
【考案の詳細な説明】
【技術分野】
【０００１】
本考案は、人体の脚部に装着されるレッグ部を有するストッキングに関する。
【背景技術】
【０００２】
従来、ストッキングと呼ばれる女性のファッションアイテムが知られている。このストッキングは、薄手の編地の長靴下であり、人体の脚部に装着されるレッグ部と、人体の足部に装着されるフット部とを有している。
また、ストッキングの一種として、レッグ部およびフット部に加えて、人体の腰部に装着されるパンティ部を有するパンティストッキングが知られている。
【０００３】
このようなストッキングは、ファッション性には優れているものの、薄手の編地であるため、防寒性には劣っているという問題がある。そこで、防寒を目的として、ストッキングと、タイツなどの他の衣料とを重ね履きすることが日常的に行われている。例えば、特許文献１には、重ね履きするための２種類の衣料（例えば、パンティストッキングおよび網タイツの２種類の衣料など）を一体的に梱包することによって、これらの衣料をセットで流通させる発明が開示されている。
【先行技術文献】
【特許文献】
【０００４】
【特許文献１】特開平１１−１２４１７３号公報
【考案の概要】
【考案が解決しようとする課題】
【０００５】
しかしながら、ストッキングと、タイツなどの他の衣料とを重ね履きすると、防寒性は向上するものの、２種類の衣料を装着する際や、下半身を動かして運動する際に、２種類の衣料の間にズレが生じ、使用者が不快に感じることがあるという問題がある。また、２種類の衣料のそれぞれを着脱しなければならないので、使用者が不快に感じることがあるという問題がある。
【０００６】
本考案の目的は、防寒性を向上させるとともに、使用者が快適に使用することができるストッキングを提供することである。
【課題を解決するための手段】
【０００７】
本考案のストッキングは、人体の脚部に装着されるレッグ部を有するストッキングであって、レッグ部と、人体の足部に装着されるとともに、足部の爪先部および足部の踵部に相当する部分を切り欠いた形状のフット部とを有するストッキング生地と、ストッキング生地と同一の形状を有し、ストッキング生地の内側に重ね合わされたインナー生地と、ストッキング生地およびインナー生地を接合する接合部とを備えることを特徴とする。
【０００８】
このような構成によれば、ストッキングは、ストッキング生地と、このストッキング生地の内側に重ね合わされたインナー生地とを備えるので、使用者は、素肌に装着されるインナー生地の上にストッキング生地を重ね履きすることになる。したがって、ストッキングの防寒性を向上させることができる。また、ストッキングは、ストッキング生地およびインナー生地を接合する接合部を備えるので、ストッキング生地と、インナー生地とを一体化することができる。したがって、ストッキングを装着する際や、下半身を動かして運動する際に、ストッキング生地およびインナー生地の間にズレが生じにくくなり、使用者は、ストッキングを快適に使用することができる。さらに、ストッキング生地およびインナー生地を一度に着脱することができるので、使用者は、ストッキングを快適に使用することができる。
【０００９】
本考案では、接合部は、フット部の爪先側の端部と、フット部の踵側の端部と、フット部とは反対側の端部とに設けられることが好ましい。
【００１０】
ここで、ストッキング生地と、インナー生地とを単に接合するのであれば、接合部は、フット部とは反対側の端部に１箇所だけ設ければよいと考えられる。しかしながら、この場合には、ストッキングを着用する際や、下半身を動かして運動する際に、ストッキング生地と、インナー生地とが捻じれ、これらの生地の間にズレが生じ、使用者が不快に感じることがある。
また、レッグ部や、フット部に多数の接合部を設けた場合には、ストッキング生地と、インナー生地との間にズレは生じにくくなるものの、ストッキングのファッション性を損ねることになる。
【００１１】
これに対して、本考案によれば、接合部は、フット部の爪先側の端部と、フット部の踵側の端部と、フット部とは反対側の端部との３箇所に設けられるので、ストッキングを着用する際や、下半身を動かして運動する際に、ストッキング生地と、インナー生地とが捻じれ、これらの生地の間にズレが生じることはない。したがって、使用者は、ストッキングを更に快適に使用することができる。
また、フット部の爪先側の端部と、フット部の踵側の端部に設けられた接合部は、靴の中に隠れることになるので、ストッキングのファッション性を損ねることはない。
【００１２】
本考案では、インナー生地は、ストッキング生地よりも小さいことが好ましい。
【００１３】
このような構成によれば、インナー生地は、ストッキング生地によって引っ張られることになるので弛まなくなる。したがって、使用者は、ストッキングを更に快適に使用することができる。
【００１４】
本考案では、インナー生地は、ストッキング生地よりも厚手のタイツ生地であることが好ましい。
【００１５】
ここで、一般的には、ストッキングと、タイツとは、生地の厚さによって区別されている。具体的には、薄手のものをストッキングと呼び、厚手のものをタイツと呼んでいる。また、ストッキングは、装着時に透明感があり、タイツは、装着時に透明感がない。
本考案によれば、インナー生地は、ストッキング生地よりも厚手のタイツ生地であるので、インナー生地をストッキング生地よりも薄手の生地や、ストッキング生地と同じ厚さの生地とした場合と比較して、ストッキングの防寒性を更に向上させることができる。
【００１６】
本考案では、インナー生地は、不規則な模様が表面に形成された生地であることが好ましい。
【００１７】
ここで、ストッキング生地は、規則正しい繰り返し模様が表面に形成された生地であり、装着時に伸びて広がることによって、インナー生地が透けて見えるようになる。このため、インナー生地を、ストッキング生地と同様に、規則正しい繰り返し模様が表面に形成された生地とすると、装着時にモアレが生じ、ストッキングのファッション性を損ねることになる。
なお、モアレは、干渉縞ともいい、規則正しい繰り返し模様を複数重ね合わせた時に、これらの周期のずれによって視覚的に発生する縞模様のことである。
【００１８】
本考案によれば、インナー生地は、不規則な模様が表面に形成された生地であるので、装着時にモアレが生じにくくなる。したがって、ストッキングのファッション性を更に向上させることができる。
なお、この不規則な模様を表面の凹凸によって形成した場合には、ストッキング生地と、インナー生地との間の摩擦力が大きくなり、ストッキング生地およびインナー生地の間にズレが生じにくくなる。したがって、使用者は、ストッキングを更に快適に使用することができる。
【図面の簡単な説明】
【００１９】
【図１】本考案の一実施形態に係るストッキングを正面から見た図
【図２】フット部の近傍を拡大した図
【考案を実施するための形態】
【００２０】
以下、本考案の一実施形態を図面に基づいて説明する。
図１は、本考案の一実施形態に係るストッキング１を正面から見た図である。
ストッキング１は、図１に示すように、下着であるパンティと、長靴下であるストッキングとを一体化させたパンティストッキングである。このストッキング１は、ストッキング生地２と、このストッキング生地２の内側に重ね合わされたインナー生地としてのタイツ生地３と、ストッキング生地２およびタイツ生地３を接合する３箇所の接合部４，５，６とを備える。
【００２１】
ストッキング生地２は、人体の腰部に装着されるパンティ部２１と、人体の脚部に装着されるレッグ部２２と、人体の足部に装着されるとともに、足部の爪先部および足部の踵部に相当する部分を切り欠いた形状のフット部２３とを備える。一般的には、このような形状のフット部２３を有するストッキングをトレンカと呼んでいる。このストッキング生地２は、薄手で装着時に透明感がある生地である。
なお、図１では、人体の右脚部に装着されるレッグ部２２と、人体の右足部に装着されるフット部２３とを透視することによって、タイツ生地３を図示している。
【００２２】
タイツ生地３は、人体の腰部に装着されるパンティ部３１と、人体の脚部に装着されるレッグ部３２と、人体の足部に装着されるフット部３３とを備える。このタイツ生地３は、厚手で装着時に透明感がない生地である。このタイツ生地３は、ストッキング生地２よりも小さく、ストッキング生地２と同一の形状を有している。
また、タイツ生地３は、不規則な模様が表面に凹凸によって形成された生地であり、本実施形態では、パイル織物を採用している。
【００２３】
なお、タイツ生地３は、ストッキング生地２を介して透けて見えるので、タイツ生地３の色を適切に設定することによって、ストッキング１のファッション性を更に向上させることができる。例えば、タイツ生地３の色を白色に近く設定することによって、使用者の脚部を白く美しい脚部に見せることができる。また、例えば、タイツ生地３の色を肌色に近く設定することによって、使用者の脚部を健康的な美しい脚部に見せることもできる。
【００２４】
接合部４は、パンティ部２１，３１を縫い合わせることによって、ストッキング生地２およびタイツ生地３を接合している。具体的には、パンティ部２１，３１の上端（図１上端）を接合している。すなわち、この接合部４は、フット部２３，３３とは反対側の端部に設けられている。
【００２５】
図２は、フット部２３，３３の近傍を拡大した図である。
接合部５，６は、図２に示すように、フット部２３，３３を縫い合わせることによって、ストッキング生地２およびタイツ生地３を接合している。具体的には、接合部５は、フット部２３，３３の爪先側の端部を接合し、接合部６は、フット部２３，３３の踵側の端部を接合している。
【００２６】
このような本実施形態によれば、以下の作用・効果を奏することができる。
（１）ストッキング１は、ストッキング生地２と、このストッキング生地２の内側に重ね合わされたタイツ生地３とを備えるので、使用者は、素肌に装着されるタイツ生地３の上にストッキング生地２を重ね履きすることになる。したがって、ストッキング１の防寒性を向上させることができる。
（２）ストッキング１は、ストッキング生地２およびタイツ生地３を接合する接合部４，５，６を備えるので、ストッキング生地２と、タイツ生地３とを一体化することができる。したがって、ストッキング１を装着する際や、下半身を動かして運動する際に、ストッキング生地２およびタイツ生地３の間にズレが生じにくくなり、使用者は、ストッキング１を快適に使用することができる。また、ストッキング生地２およびタイツ生地３を一度に着脱することができるので、使用者は、ストッキング１を快適に使用することができる。
【００２７】
（３）接合部４，５，６は、フット部２３，３３の爪先側の端部と、フット部２３，３３の踵側の端部と、フット部２３，３３とは反対側の端部との３箇所に設けられるので、ストッキング１を着用する際や、下半身を動かして運動する際に、ストッキング生地２と、タイツ生地３とが捻じれ、これらの生地の間にズレが生じることはない。したがって、使用者は、ストッキング１を更に快適に使用することができる。
（４）フット部２３，３３の爪先側の端部と、フット部２３，３３の踵側の端部に設けられた接合部５，６は、靴の中に隠れることになるので、ストッキング１のファッション性を損ねることはない。
【００２８】
（５）タイツ生地３は、ストッキング生地２よりも小さいので、ストッキング生地２によって引っ張られることになるので弛まなくなる。したがって、使用者は、ストッキング１を更に快適に使用することができる。
（６）インナー生地は、ストッキング生地２よりも厚手のタイツ生地３であるので、インナー生地をストッキング生地２よりも薄手の生地や、同じ厚さの生地とした場合と比較して、ストッキング１の防寒性を更に向上させることができる。
【００２９】
（７）タイツ生地３は、不規則な模様が表面に凹凸によって形成された生地であるので、装着時にモアレが生じにくくなる。したがって、ストッキング１のファッション性を更に向上させることができる。
（８）タイツ生地３は、不規則な模様が表面に凹凸によって形成された生地であるので、ストッキング生地２と、タイツ生地３との間の摩擦力が大きくなり、ストッキング生地２およびタイツ生地３の間にズレが生じにくくなる。したがって、使用者は、ストッキング１を更に快適に使用することができる。
【００３０】
なお、本考案は前記実施形態に限定されるものではなく、本考案の目的を達成できる範囲での変形、改良等は本考案に含まれるものである。
例えば、前記実施形態では、ストッキング１は、下着であるパンティと、長靴下であるストッキングとを一体化させたパンティストッキングであった。すなわち、ストッキング生地２およびタイツ生地３は、パンティ部２１，３１を備えていた。これに対して、ストッキング生地およびタイツ生地は、パンティ部を備えていなくてもよい。要するに、ストッキング生地およびタイツ生地は、レッグ部と、フット部とを備えていればよい。
【００３１】
また、前記実施形態では、接合部４，５，６は、フット部２３，３３の爪先側の端部と、フット部２３，３３の踵側の端部と、フット部２３，３３とは反対側の端部との３箇所に設けられていた。これに対して、接合部は、１箇所または２箇所に設けられていてもよく、４箇所以上に設けられていてもよく、これら以外の位置に設けられていてもよい。要するに、接合部は、ストッキング生地およびインナー生地を接合することができればよい。
【００３２】
また、前記実施形態では、タイツ生地３は、ストッキング生地２よりも小さい生地であったが、ストッキング生地２と同じ大きさの生地であってもよく、ストッキング生地２よりも大きい生地であってもよい。
また、前記実施形態では、インナー生地は、ストッキング生地２よりも厚手のタイツ生地３であったが、ストッキング生地２よりも薄手の生地や、ストッキング生地２と同じ厚さの生地としてもよい。
【００３３】
また、前記実施形態では、タイツ生地３には、パイル織物を採用していたが、不規則な模様が表面に凹凸によって形成された生地であれば、パイル織物とは異なる他の生地を採用してもよい。要するに、インナー生地は、不規則な模様が表面に形成された生地であればよい。なお、不規則な模様は、凹凸によって形成されていなくてもよい。
また、前記実施形態では、タイツ生地３は、不規則な模様が表面に凹凸によって形成された生地であったが、規則正しい繰り返し模様が表面に形成された生地であってもよい。
【産業上の利用可能性】
【００３４】
以上のように、本考案は、人体の脚部に装着されるレッグ部を有するストッキングに広く適用できる。
【符号の説明】
【００３５】
１  ストッキング
２  ストッキング生地
３  タイツ生地
４，５，６  接合部
２１，３１  パンティ部
２２，３２  レッグ部
２３，３３  フット部
【図１】
0003173336.tif 000003
【図２】
0003173336.tif 000004